(57)【特許請求の範囲】
【請求項１】
車輌の前後各車輪を乗せる前輪架台、後輪架台と、前輪架台、後輪架台を連ねる中央スロープと、車輌の乗り入れ用の前記後輪架台に連なる入口側スロープ及び前記前輪架台に連なる乗り出用の出口側スロープと、を備える架台本体と、
前記前輪架台、後輪架台に各々設けた前輪駆動ローラー、後輪駆動ローラーと、
洗浄媒体を貯留するタンクとポンプを備え、洗浄媒体を供給する洗浄媒体供給手段と、
前記後輪架台上に位置する車輌のエンジン動作による後輪駆動ローラーの回転力に連動して前記前輪駆動ローラーを回転させるとともに、前記洗浄媒体供給手段のポンプを運転状態にする回転連動手段と、
前記前輪架台、後輪架台に各々設けられ、前記前輪架台、後輪架台上に乗る車輌の左右両側の各タイヤの底部に向けたノズルを有するとともに、前記洗浄媒体供給手段に連通させた洗浄媒体供給管路と、
前記洗浄媒体供給管路に連通させるとともに、前記前輪架台、後輪架台上に乗る車輌における車体底部、及び左右両側の車体側部に洗浄媒体を噴射するノズルを有する車体洗浄媒体噴射部と、
を有し、
前記洗浄媒体供給手段は、所定の量の洗浄媒体の一つである水を貯留するタンクと、このタンクからバルブを経て水が供給されるポンプと、ポンプからの水を受け入れ、前記後輪架台側に配置した後輪架台側洗浄媒体供給管路と、前記前輪架台側に配置した前輪架台側洗浄媒体供給管路と、前記後輪架台側洗浄媒体供給管路から前輪架台側洗浄媒体供給管路に洗浄媒体を送るようにした連結洗浄媒体供給管路と、を具備して構成されているとともに、
前記ポンプが運転状態となり、前記タンクから供給される水はポンプによって前記後輪架台側洗浄媒体供給管路、連結洗浄媒体供給管路、前輪架台側洗浄媒体供給管路に通水され、前記前輪架台側洗浄媒体供給管路、後輪架台側洗浄媒体供給管路から各駆動ローラー上に乗り入れてくる車輌の各前輪、各後輪に向けて水を噴射するように構成されていることを特徴とし、
前記前輪架台、後輪架台上の前記車輌の前輪、後輪の各タイヤ、前記車輌の車体底部、及び前記車輌の車体側部に対する洗浄媒体の噴射により、当該車輌のタイヤ及び車体各部の泥落洗浄を行うようにしたことを特徴とする車輌泥落洗浄装置。
【請求項２】
車輌の前後各車輪を乗せる前輪架台、後輪架台と、前輪架台、後輪架台を連ねる中央スロープと、車輌の乗り入れ用の前記後輪架台に連なる入口側スロープ及び前記前輪架台に連なる乗り出用の出口側スロープと、を備える架台本体と、
前記前輪架台、後輪架台に各々設けた前輪駆動ローラー、後輪駆動ローラーと、
洗浄媒体を貯留するタンクとポンプを備え、洗浄媒体を供給する洗浄媒体供給手段と、
前記後輪架台上に位置する車輌のエンジン動作による後輪駆動ローラーの回転力に連動して前記前輪駆動ローラーを回転させるとともに、前記洗浄媒体供給手段のポンプを運転状態にする回転連動手段と、
前記前輪架台、後輪架台に各々設けられ、前記前輪架台、後輪架台上に乗る車輌の左右両側の各タイヤの底部に向けたノズルを有するとともに、前記洗浄媒体供給手段に連通させた洗浄媒体供給管路と、
前記前輪架台、後輪架台上に乗る車輌における左右両側の各タイヤの間の車体底部の下方位置に設けられ前記洗浄媒体供給管路に連通させたノズルを有する車体底部用洗浄媒体噴射部と、
前記架台本体における車輌の走行領域の両側方位置に各々設けられ、前記洗浄媒体供給管路に連通させた各々ノズルを有する車体側部用洗浄媒体噴射部と、
を有し、
前記洗浄媒体供給手段は、所定の量の洗浄媒体の一つである水を貯留するタンクと、このタンクからバルブを経て水が供給されるポンプと、ポンプからの水を受け入れ、前記後輪架台側に配置した後輪架台側洗浄媒体供給管路と、前記前輪架台側に配置した前輪架台側洗浄媒体供給管路と、前記洗浄媒体供給手段に連通させたノズルを有する前輪架台側、後輪架台側の２箇所に配置した車体底部用洗浄媒体噴射部と、左右一対の車体側部用洗浄媒体噴射部と、前記後輪架台側洗浄媒体供給管路から前輪架台側洗浄媒体供給管路に洗浄媒体を送るようにしたとともに前記車体底部用洗浄媒体噴射部、車体側部用洗浄媒体噴射部にも洗浄媒体を送る連結洗浄媒体供給管路と、を具備して構成されているとともに、
前記ポンプが運転状態となり、前記タンクから供給される水はポンプによって前記後輪架台側洗浄媒体供給管路、連結洗浄媒体供給管路、車体底部用洗浄媒体噴射部、車体側部用洗浄媒体噴射部、前輪架台側洗浄媒体供給管路に通水され、前記前輪架台側洗浄媒体供給管路、後輪架台側洗浄媒体供給管路、車体側部用洗浄媒体噴射部、車体底部用洗浄媒体噴射部から各駆動ローラー上に乗り入れてくる車輌の各前輪、各後輪、車体側部、車体底部に向けて水を噴射するように構成されていることを特徴とし、
前記前輪架台、後輪架台上の前記車輌の前輪、後輪の各タイヤ、前記車輌の車体底部、及び、前記車輌の車体側部に対する洗浄媒体の噴射により、当該車輌のタイヤ及び車体各部の泥落洗浄を行うようにしたことを特徴とする車輌泥落洗浄装置。
【発明の詳細な説明】
【技術分野】
【０００１】
本発明は、車輌泥落洗浄装置に関し、詳しくは、ダンプカー等の車輌の各タイヤ、車体各部に付着した泥土を確実に同時に、かつ、短時間で除去することができる車輌泥落洗浄装置に関するものである。
【背景技術】
【０００２】
従来においては、人の暮らしを豊かにする街づくりのために、市街地では大規模な工事が繰り返され、その際、振動、騒音など周囲に及ぼす影響は多々見られる。
【０００３】
その一つの要因としては、工事現場に出入りするダンプカー等の車輌のタイヤや車体に付着した泥土が周辺環境を汚染する場合がある。
【０００４】
すなわち、大規模造成工事や建築現場等に出入りする車輌のタイヤに付着した泥が付近の道路の路面に飛散して汚し、また、その粉塵が周囲の環境に悪影響を及ぼす。
【０００５】
したがって、ダンプカー等の車輌のタイヤに付着した泥土や、車体に付着した泥土を、この車輌が道路に進入する前に除去することが強く要請されるところである。
【０００６】
この種の技術分野の従来技術として、例えば特許文献１には、台枠と、回転軸心を同心に囲む周面に沿って周方向に所定の間隔を空けて配列され回転軸に固定された複数本の棒が、回転軸を介して台枠に回転自在に支持されるとともに、その上に載置された自動車の車輪の回転によって回転し、車輪に付着した泥土を除去する複数の籠型ローラと、籠型ローラの回転軸の回動を一方向に制動するクラッチ手段とを設けた車輪に付着した泥土の除去装置が提案されている。
【０００７】
また、特許文献２には、車輌の進行方向に順に設置された湿式洗浄機、ロードマット及びエアーブロー式洗浄機を備え、前記湿式洗浄機は、スプレー水を噴き付けてタイヤに付着した泥や土を落すスプレー水噴射ノズルを備え、前記ロードマットは、タイヤに付着した泥や土を落す複数のリブを備え、かつ、前記エアーブロー式洗浄機は、タイヤに付着した泥や土を落すようにした構成の車輌のタイヤ洗浄装置が提案されている。
【０００８】
しかし、特許文献１、特許文献２に開示された技術によれば、車輌のタイヤに付着した泥や土を落したり乾燥したりすることはできるものの、車輌の各タイヤ、車体各部を同時に処理し、各タイヤや車体各部に付着した泥土を確実、かつ、短時間で除去する機能は有していない。
【先行技術文献】
【特許文献】
【０００９】
【特許文献１】登録実用新案第３０１７８２０号公報
【特許文献２】特許第５４５６５６６号公報
【発明の概要】
【発明が解決しようとする課題】
【００１０】
本発明が解決しようとする問題点は、工事現場に出入りするダンプカー等の車輌の前後の各タイヤ、車体各部を同時に処理し、各タイヤや車体各部に付着した泥土を確実、かつ、短時間で除去することができ、工事現場周辺の道路の汚染や環境悪化を未然に防止し得るという優れた機能を有するような車輌泥落洗浄装置が存在しない点である。
【課題を解決するための手段】
【００１１】
本発明の車輌泥落洗浄装置は、車輌の前後各車輪を乗せる前輪架台、後輪架台と、前輪架台、後輪架台を連ねる中央スロープと、車輌の乗り入れ用の前記後輪架台に連なる入口側スロープ及び前記前輪架台に連なる乗り出用の出口側スロープと、を備える架台本体と、前記前輪架台、後輪架台に各々設けた前輪駆動ローラー、後輪駆動ローラーと、洗浄媒体を貯留するタンクとポンプを備え、洗浄媒体を供給する洗浄媒体供給手段（車輌のタイヤの空転力を各駆動原とするか電力を各駆動原とするか問わない）と、前記後輪架台上に位置する車輌のエンジン動作による後輪駆動ローラーの回転力に連動して前記前輪駆動ローラーを回転させるとともに、前記洗浄媒体供給手段のポンプを運転状態にする回転連動手段（車輌のタイヤの空転力を各駆動原とするか電力を各駆動原とするか問わない）と、前記前輪架台、後輪架台に各々設けられ、前記前輪架台、後輪架台上に乗る車輌の左右両側の各タイヤの底部に向けたノズルを有するとともに、前記洗浄媒体供給手段に連通させた洗浄媒体供給管路と、前記洗浄媒体供給管路に連通させるとともに、前記前輪架台、後輪架台上に乗る車輌における車体底部、及び、左右両側の車体側部に洗浄媒体を噴射するノズルを有する車体洗浄媒体噴射部（車輌のタイヤの空転力を各駆動原とするか電力を各駆動原とするか問わない）と、を有し、前記前輪架台、後輪架台上の前記車輌の前輪、後輪の各タイヤ、前記車輌の車体底部、及び、前記車輌の車体側部に対する洗浄媒体の噴射により、当該車輌のタイヤ及び車体各部の泥落洗浄を同時に行うことを最も主要な特徴とする。
【発明の効果】
【００１２】
請求項１記載の発明によれば、工事現場に出入りするダンプカー等の車輌の前後の各タイヤ、車体底部、車体側部を洗浄媒体の噴射により同時に処理し、各タイヤや車体各部に付着した泥土を確実、かつ、短時間で除去し、工事現場周辺の道路の汚染や環境悪化を未然に防止しできる斬新な車輌泥落洗浄装置を実現し、提供することができる。
【００１３】
請求項２記載の発明によれば、請求項１記載の発明と同様な構成で、かつ、車体底部用洗浄媒体噴射部、車体側部用洗浄媒体噴射部を備える構成で、工事現場に出入りするダンプカー等の車輌の前後輪を同時に処理し、各タイヤ各部に付着した泥土、更には車体の底部や側部に付着した泥土を確実、かつ、短時間で除去することができ、工事現場周辺の道路の汚染や環境悪化を未然に防止しできる斬新な車輌泥落洗浄装置を実現し、提供することができる。
【図面の簡単な説明】
【００１４】
【図１】図１は本発明の実施例に係る車輌泥落洗浄装置の概略平面図である。
【図２】図２は本実施例に係る車輌泥落洗浄装置の概略正面図である。
【図３】図３は本実施例に係る車輌泥落洗浄装置の概略側面図である。
【図４】図４は本実施例に係る車輌泥落洗浄装置におけるタンクの概略平面図である。
【図５】図５は本実施例に係る車輌泥落洗浄装置におけるタンクの概略正面図である。
【図６】図６は本実施例に係る車輌泥落洗浄装置におけるポンプ部分の概略平面図である。
【図７】図７は本実施例に係る車輌泥落洗浄装置におけるポンプ部分の概略正面図である。
【図８】図８は本実施例に係る車輌泥落洗浄装置における車輌の各タイヤ、車体底部、車体側部に対する洗浄媒体の噴射状態を示す概略説明図である。
【図９】図９は本実施例に係る車輌泥落洗浄装置における車輌泥落洗浄態様の説明図である。
【発明を実施するための形態】
【００１５】
本発明は、工事現場に出入りするダンプカー等の車輌の各タイヤ、車体各部を同時に処理し、各タイヤに付着した泥土、車体各部に付着した泥土を確実、かつ、短時間で除去することができ、工事現場周辺の道路の汚染や環境悪化を未然に防止できるという優れた機能を有する車輌泥落洗浄装置を実現、提供するという目的を、車輌の前後各車輪を乗せる前輪架台、後輪架台と、前輪架台、後輪架台を連ねる中央スロープと、車輌の乗り入れ用の前記後輪架台に連なる入口側スロープ及び前記前輪架台に連なる乗り出用の出口側スロープと、を備える架台本体と、前記前輪架台、後輪架台に各々設けた前輪駆動ローラー、後輪駆動ローラーと、洗浄媒体を貯留するタンクとポンプを備え、洗浄媒体を供給する洗浄媒体供給手段と、前記後輪架台上に位置する車輌のエンジン動作による後輪駆動ローラーの回転力に連動して前記前輪駆動ローラーを回転させるとともに、前記洗浄媒体供給手段のポンプを運転状態にする回転連動手段と、前記前輪架台、後輪架台に各々設けられ、前記前輪架台、後輪架台上に乗る車輌の左右両側の各タイヤの底部に向けたノズルを有するとともに、前記洗浄媒体供給手段に連通させた洗浄媒体供給管路と、前記前輪架台、後輪架台上に乗る車輌における左右両側の各タイヤの間の車体底部の下方位置に設けられ前記洗浄媒体供給管路に連通させたノズルを有する車体底部用洗浄媒体噴射部と、前記架台本体における車輌の走行領域の両側方位置に各々設けられ、前記洗浄媒体供給管路に連通させた各々ノズルを有する車体側部用洗浄媒体噴射部と、を有し、前記前輪架台、後輪架台上の前記車輌の前輪、後輪の各タイヤの底部、前記車輌の車体底部、及び前記車輌の車体側部に対する洗浄媒体の噴射により、当該車輌のタイヤ及び車体各部の泥落洗浄を行う構成により実現した。
【実施例】
【００１６】
以下、本発明の実施例に係る車輌泥落洗浄装置について図面を参照して詳細に説明する。
【００１７】
本実施例に係る車輌泥落洗浄装置１は、図１乃至図３に示すように、ダンプカー等の車輌Ｃが泥落洗浄のために走行する主に鋼鉄等の金属材で構成している架台本体２を備えている。
【００１８】
本発明においては、後記する洗浄媒体供給手段、車体底部用洗浄媒体噴射部、車体側部用洗浄媒体噴射部をはじめとする各部分における各駆動原を、洗浄対象車輌のタイヤの空転力を各駆動原とするか、電力を各駆動原とするかは問わず実施できる。
【００１９】
前記架台本体２は、車輌Ｃが進入する左右一対で、上面側に凸面を具備し車輌Ｃのタイヤの泥土が取れやすい構造とした鋼鉄等の金属材により枠組み構成され、地面から後述する後輪架台４に向けて上昇する傾斜配置の入口側スロープ３、３と、車輌Ｃの後輪側の泥落洗浄を行う後輪架台４と、この後輪架台４から後述する前輪架台６に掛け渡した水平配置で左右一対の中央スロープ５、５と、車輌Ｃの前輪側の泥落洗浄を行う前輪架台６と、泥落洗浄後の車輌Ｃが走出する左右一対で、上面側に凸面を具備する前記入口側スロープ３、３と同様な構成からなり、前記前輪架台６から地面に向けて降下する傾斜配置の出口側スロープ７、７と、を備えている。
【００２０】
更に、本実施例１に係る車輌泥落洗浄装置１は、前記後輪架台４、前輪架台６内に配置され車輌Ｃの後輪側、前輪側の各タイヤ洗浄用の複数のノズル１０に水（ミスト）からなる洗浄媒体を供給する洗浄媒体供給手段９（車輌のタイヤの空転力を各駆動原とするか電力を各駆動原とするか問わない）と、前記前輪架台６、後輪架台４上に乗る車輌Ｃにおける左右両側の各タイヤの間の車体底部の下方位置に設けられ前記洗浄媒体供給手段９に連通させたノズル１０を有する前輪架台６側、後輪架台４側の２箇所に配置した車体底部用洗浄媒体噴射部８Ａ、８Ｂ（車輌のタイヤの空転力を各駆動原とするか電力を各駆動原とするか問わない）と、前記架台本体２における車輌Ｃの走行領域の両側方位置に各々設けられ、前記洗浄媒体供給手段９に連通させた各々タイヤ側部用、車体側部用として上下２段配置のノズル１０を有し両側方位置に３個ずつ合計６個構成の２段ノズル構造で分散配置した車体洗浄媒体噴射部を構成する車体側部用洗浄媒体噴射部８１Ａ、８１Ｂ（車輌のタイヤの空転力を各駆動原とするか電力を各駆動原とするか問わない）とを有している。
【００２１】
次に、前記後輪架台４、前輪架台６の具体的構成について詳述する。
【００２２】
前記後輪架台４は、車輌Ｃのダブルタイヤの後輪に対応し、前記前輪架台６は車輌Ｃのシングルタイヤに対応する構成としたものである。
【００２３】
すなわち、前記後輪架台４は、車輌Ｃの進行方向と直交する配置で、合計８個の後輪駆動ローラー群を具備している。
【００２４】
詳述すると、前記左側の入口側スロープ３と、左側の中央スロープ５との間には、車輌Ｃの左側のダブルタイヤの後輪用として所定の間隔で２箇所に分離して２個ずつ、計４個の後輪駆動ローラー１１を平行配置している。
【００２５】
そして、２個一組、計２組の各々小間隔の各後輪駆動ローラー１１上に車輌Ｃの左側のダブルタイヤの後輪を載せるように構成している。
【００２６】
同様に、右側の入口側スロープ３と、右側の中央スロープ５との間には、車輌Ｃの右側のダブルタイヤの後輪用として所定の間隔で２箇所に分離して２個ずつ、計４個の後輪駆動ローラー１１を平行配置している。
【００２７】
そして、２個一組、計２組の各々小間隔の各後輪駆動ローラー１１上に車輌Ｃの右側のダブルタイヤの後輪を載せるように構成している。
【００２８】
また、後輪駆動ローラー群の左右両外側に一対の軸受ユニット（フランジ型軸受ユニット、ピロー型軸受ユニット等）１２、１２を車輌Ｃの進行方向に沿って所定の間隔で平行配置し、両軸受ユニット１２、１２に対して進行方向と直交する方向に各々中央位置にチェーンカップリング１４を介在させつつ４本の長軸１３を所定の間隔で平行配置している。
【００２９】
前記各長軸１３により、進行方向と直交する方向で横並びとなる２個ずつ計４組の後輪駆動ローラー１１を各々嵌装する状態で、かつ、各々回転可能に支持する構成としている。
【００３０】
前記後輪架台４側には、クラッチブレーキ１５を設けている。すなわち、図１に示すように、合計４本の長軸１３のうち、進行方向手前から３本目の長軸１３には、チェーンカップリング１４の隣りに位置してクラッチブレーキ１５を配置し、この３本目の長軸１３により支持した左右の後輪駆動ローラー１１の回転規制を行うように構成している。
【００３１】
更に、後輪架台４より先方の中央スロープ５の更に先方に配置した前輪架台６には、車輌Ｃの進行方向と直交する配置で、合計４個の前輪駆動ローラー群を具備している。
【００３２】
更に詳述すると、左側の中央スロープ５と前記左側の出口側スロープ７との間には、車輌Ｃの左側のシングルタイヤの前輪用として所定の間隔で２個の前輪駆動ローラー２１を平行配置している。
【００３３】
同様に、右側の中央スロープ５と前記右側の出口側スロープ７との間には、車輌Ｃの右側のシングルタイヤの前輪用として所定の間隔で２個の前輪駆動ローラー２１を平行配置している。
【００３４】
また、前輪駆動ローラー群の左右両外側に一対の軸受ユニット（フランジ型軸受ユニット、ピロー型軸受ユニット等）２２、２２を車輌Ｃの進行方向に沿って所定の間隔で平行配置し、両軸受ユニット２２、２２に対して進行方向と直交する方向に各々中央位置にチェーンカップリング２４を介在させつつ２本の長軸２３を所定の間隔で平行配置し、各長軸２３により、進行方向と直交する方向で横並びとなる２個ずつ計４個の前輪駆動ローラー２１を各々嵌装する状態で、かつ、各々回転可能に支持する構成としている。
【００３５】
前記後輪駆動ローラー１１及び前輪駆動ローラー２１は、各々表面の凸面が螺旋状に形成され、タイヤが中心に向かって回転するように構成してあり、タイヤを高速で回転しても、横ゆれせず、泥土が遠くに飛ばないという利点を有するものである。
【００３６】
更に、本実施例の車輌泥落洗浄装置１は、前記洗浄媒体供給手段９の運転動作に応じて、前記後輪駆動ローラー群、前輪駆動ローラー群の回転を連動させる回転連動機構部３１（車輌のタイヤの空転力を各駆動原とするか電力を各駆動原とするか問わない）を備えている。
【００３７】
前記洗浄媒体供給手段９は、詳細は後述するが、洗浄水を貯留するタンク４１、車輌Ｃの泥落洗浄を行うために洗浄水を圧送するポンプ４２（車輌のタイヤの空転力を各駆動原とするか電力を各駆動原とするか問わない）を備えている。そして、前記ポンプ４２を構成する回転軸に従動プーリー４４を取り付けている。
【００３８】
なお、前記ポンプ４２は、車輌泥落洗浄装置１の両サイドに２個備えて構成しても良い。その場合は、後述するポンプ４２に連動する下記各部も夫々２個具備する構成となる。
【００３９】
前記タンク４１は、図５及び図６に示すように、例えば容量３．４ｍ３の本体３７、フロート３８、接続栓３９等を具備している。
【００４０】
前記ポンプ４２は、図６及び図７に示すように、従動プーリー４４、ポンプ台５６、ストレーナー５７、エアー抜き弁５８、バルブ５２等を具備している。
【００４１】
また、前記後輪架台４においては、前記後輪駆動ローラー群側の一方（図１において下側）の軸受ユニット１２に対して、入口側スロープ３側から見て１本目乃至４本目の各長軸１３の一端を各々貫通させて側方に突出させ、１本目の長軸１３の突出端部に原動プーリー３２を、その内側にスプロケット３３を取り付けている。
【００４２】
前記洗浄媒体供給手段９は、前記従動プーリー４４、原動プーリー３２間にベルト３４を張り渡し、車輌Ｃにおける後輪のタイヤの回転に伴う１本目の長軸１３の回転を、前記ベルト３４を介して前記ポンプ４２に伝達し、ポンプ４２を運転状態とするように構成している。
【００４３】
また、２本目、３本目及び４本目の各長軸１３の各突出端部には、各々内外２個ずつ合計６個のスプロケット３３を取り付けている。
【００４４】
そして、１本目の長軸１３側のスプロケット３３と２本目の長軸１３の内側のスプロケット３３間に第１チェーン３５ａを掛け渡し、２本目の長軸１３の外側のスプロケット３３と３本目の長軸１３の外側のスプロケット３３間に第２チェーン３５ｂを掛け渡し、３本目の長軸１３の内側のスプロケット３３と４本目の長軸１３の内側のスプロケット３３間に第３チェーン３５ｃを掛け渡して、１本目の長軸１３から順に２本目の長軸１３、３本目の長軸１３、４本目の長軸１３へと回転力を伝達するように構成している。
【００４５】
更に、前記前輪駆動ローラー群側の一方（図１において下側）の軸受ユニット２２に対して、中央スロープ５側から見て１本目の長軸２３の一端を貫通させて側方に突出させ、突出する一端に対して内外２個のスプロケット３３を取り付け、また、一方の軸受ユニット２２に対して中央スロープ５側から見て２本目の長軸２３の一端を貫通させて側方に突出させ、突出する一端に対して１個のスプロケット３３を取り付けている。
【００４６】
そして、前記後輪駆動ローラー群側の４本目の長軸１３に取り付けた外側のスプロケット３３、前記前輪駆動ローラー群側の１本目の長軸２３に取り付けた外側のスプロケット３３間に第４チェーン３５ｄを掛け渡し、更に、前輪駆動ローラー群側の１本目の長軸２３に取り付けた内側のスプロケット３３、２本目の長軸２３に取り付けたスプロケット３３間に第５チェーン３５ｅを掛け渡し、前記後輪駆動ローラー群側の４本目の長軸１３の回転力を前記前輪駆動ローラー群側の１本目の長軸２３、２本目の長軸２３へと順に伝達するように構成している。
【００４７】
なお、図１、図３において、符号３６はガードレールである。
【００４８】
次に、前記洗浄媒体供給手段９について図１、図２、図４乃至図７を参照して説明する。
【００４９】
前記洗浄媒体供給手段９は、所定の量の洗浄媒体の一つである水を貯留するタンク４１と、このタンク４１からバルブ５２を経て水が供給されるポンプ４２と、ポンプ４２からの水を受け入れ、前記後輪架台４側に配置した後輪架台側洗浄媒体供給管路５１と、前記前輪架台６側に配置した前輪架台側洗浄媒体供給管路６１と、前記２箇所に配置した車体底部用洗浄媒体噴射部８Ａ、８Ｂと、前記左右一対の車体側部用洗浄媒体噴射部８１Ａ、８１Ｂと、前記後輪架台側洗浄媒体供給管路５１から、前輪架台側洗浄媒体供給管路６１に洗浄媒体を送るとともに、前記車体底部用洗浄媒体噴射部８Ａ、８Ｂ、車体側部用洗浄媒体噴射部８１Ａ、８１Ｂにも洗浄媒体を送る連結洗浄媒体供給管路７１と、を有している。
【００５０】
前記後輪架台側洗浄媒体供給管路５１は、前記ポンプ４２の吐出側に接続したホース等からなる入口配管材５３と、前記後輪架台４における一対の軸受ユニット１２の内側に各々平行配置したホース等からなる一対のガイド配管材５４、５４と、前記後輪架台４を車輌Ｃの進行方向と直交する方向の配置で一対のガイド配管材５４、５４に両端を接続した並列配置の一対のノズル用配管材５５、５５と、一対のノズル用配管材５５、５５に対して洗浄媒体の噴出口を上向きとする配置に各々取り付けた一本当たり６個、合計１２個のノズル１０と、を具備している。
【００５１】
すなわち、一本目のノズル用配管材５５に対して、右輪用に所定の間隔で３個のノズル１０を取り付け、また、左輪用に所定の間隔で３個のノズル１０を取り付けている。２本目のノズル用配管材５５に関しても同様である。
【００５２】
また、前記一本目のノズル用配管材５５は、１本目の長軸１３と２本目の長軸１３との中間位置に、２本目のノズル用配管材５５は３本目の長軸１３と４本目の長軸１３との中間位置に配置している。
【００５３】
更に、前記各ノズル１０の配置位置の高さは、前記後輪駆動ローラー１１を支持する長軸１３の高さと略同等にしている。
【００５４】
そして、前記入口配管材５３、一対のガイド配管材５４、５４、一対のノズル用配管材５５、５５を、詳細な接続構造の説明は省略するが公知の手段で洗浄媒体である水が流通可能に接続し、前記各ノズル１０から前記各後輪駆動ローラー１１上に乗り入れてくる車輌Ｃの各後輪のタイヤの底部（外周）に向けて水を噴射するように構成している。
【００５５】
前記後輪架台４側の車体底部用洗浄媒体噴射部８Ａは、図１に示すように、左右一対の後輪駆動ローラー１１、１１の手前の中間位置において前記ノズル用配管材５５から分岐した引き出し配管材７５と、この引き出し配管材７５の端部に前記後輪駆動ローラー１１、１１と平行となるように取り付けた底部ノズル用配管材７６と、底部ノズル用配管材７６の例えば両隅部に車輌Ｃの車体底部に向けた配置した２個のノズル１０と、を具備している。
【００５６】
前記前輪架台側洗浄媒体供給管路６１は、詳細は後述する連結洗浄媒体供給管路７１からの洗浄媒体である水を受け入れて、各ノズル１０から前記各前輪駆動ローラー２１上に乗り入れてくる車輌Ｃの各前輪のタイヤに向けて水を噴射するように構成している。
【００５７】
すなわち、前記前輪架台側洗浄媒体供給管路６１は、前記前輪架台６における一対の軸受ユニット２２の内側に各々平行配置したホース等からなる一対のガイド配管材６２、６２と、前記前輪架台６において車輌Ｃの進行方向と直交する方向の配置で一対のガイド配管材６２、６２に両端を接続した１本のノズル用配管材６３と、ノズル用配管材６３に対して洗浄媒体の噴出口を上向きとする配置に各々取り付けた合計６個のノズル１０と、を具備している。
【００５８】
また、前記ノズル用配管材６３に対して、右輪用に所定の間隔で３個のノズル１０を取り付け、また、左輪用に所定の間隔で３個のノズル１０を取り付けている。
【００５９】
そして、前記一対のガイド配管材６２、６２と、ノズル用配管材６３とを詳細な接続構造の説明は省略するが公知の手段で洗浄媒体である水が流通可能に接続し、前記各ノズル１０から前記各前輪駆動ローラー２１上に乗り入れてくる車輌Ｃの各前輪のタイヤに向けて水を噴射するように構成している。
【００６０】
更に、前記各ノズル１０の配置位置の高さは、前記前輪駆動ローラー２１を支持する長軸２３の高さと略同等にしている。
【００６１】
前記前輪架台６側の車体底部用洗浄媒体噴射部８Ｂは、前記前輪架台６側において、左右一対の前輪駆動ローラー２１、２１の手前の中間位置において前記前輪駆動ローラー２１、２１と平行となるように取り付けた底部ノズル用配管材７７と、底部ノズル用配管材７７の例えば両隅部に車輌Ｃの車体底部に向けた配置した２個のノズル１０と、を具備している。
【００６２】
前記連結洗浄媒体供給管路７１は、前記後輪架台側洗浄媒体供給管路５１に接続し、他端側を前記前輪架台側洗浄媒体供給管路６１に接続した連結配管材７２を具備している。
【００６３】
前記連結配管材７２の途中には、分岐弁を用い、１個の入口ポートと３個の出口ポートとを有する構成とした分配管路ユニット７３を配置し、分配管路ユニット７３により前記前輪架台側洗浄媒体供給管路６１への洗浄媒体の供給と、左右一対の分配配管路７４、７４を経て前記車体側部用洗浄媒体噴射部８１Ａ、８１Ｂに洗浄媒体の供給を行うように構成している。
【００６４】
前記車体側部用洗浄媒体噴射部８１Ａは、図１に示すように、前記架台本体２における車輌Ｃの走行領域の左方領域に、前記車体側部用洗浄媒体噴射部８１Ｂは、前記架台本体２における車輌Ｃの走行領域の右方領域に配置している。
【００６５】
前記車体側部用洗浄媒体噴射部８１Ａは、前記分配配管路７４に連通させるとともに、前記前輪架台６、後輪架台４の左側方にわたって位置する状態で配管した左側方配管路８２ａと、左側方配管路８２ａから垂直方向に所定の高さで起立させた３本の垂直管路８３と、各垂直管路８３に対して各々タイヤ側部用、車体側部用（例えば車輌Ｃの荷台側部用）として上下２段配置の状態で、かつ、架台本体２の内方に向けて取り付けた洗浄媒体噴射用の各ノズル１０（合計６個）と、を具備している。
【００６６】
前記３本の垂直管路８３の配置は、例えば前記後輪架台４側の２本のノズル用配管材５５の延長線上に対応する位置に２本、前記前輪架台６側のズル用配管材６３の延長線上に対応する位置に１本が位置する分散配置としている。
【００６７】
同様に、前記車体側部用洗浄媒体噴射部８１Ｂは、前記分配配管路７４に連通させるとともに、前記前輪架台６、後輪架台４の右側方にわたって位置する状態で配管した右側方配管路８２ｂと、左側方配管路８２ｂから垂直方向に所定の高さで起立させた３本の垂直管路８３と、各垂直管路８３に対して各々タイヤ側部用、車体側部用（例えば車輌Ｃの荷台側部用）として上下２段配置の状態で、かつ、架台本体２の内方に向けて取り付けた洗浄媒体噴射用の各ノズル１０（合計６個）と、を具備している。
【００６８】
この場合の前記３本の垂直管路８３の配置は、上述した車体側部用洗浄媒体噴射部８１Ａ側の３本の垂直管路８３と架台本体２を挟んで対称配置としている。
【００６９】
次に、図８、図９を参照して本実施例に係る車輌泥落洗浄装置１による車輌Ｃの泥落洗浄態様について説明する。
【００７０】
なお、初期状態では、洗浄媒体である水を供給する状態にセットされているものとする。
【００７１】
本実施例に係る車輌泥落洗浄装置１において、図１０（ａ）に示すように、車輌Ｃは、入口側スロープ３側から架台本体２上にゆっくりと進行し、次いで図１０（ｂ）に示すように、前輪を前記前輪架台６に、後輪側を前記後輪架台４上になるまで移動して停止する。
【００７２】
次に、車輌Ｃの運転者がギヤを例えば２速等に入れて加速し時速３０ｋｍ程度に加速し、５〜１０秒程度空運転を行い、その後ギヤをニュートラルに戻し、タイヤを完全に停止させる。
【００７３】
このとき、５〜１０秒程度の空運転時におけるエンジンにより回転駆動される後輪のタイヤの回転に伴い、１本目の長軸１３が原動軸となって回転し、既述したように連動してポンプ４２が運転状態となり、タンク４１から供給される水はポンプ４２によって前記後輪架台側洗浄媒体供給管路５１、連結洗浄媒体供給管路７１、車体底部用洗浄媒体噴射部８Ａ、８Ｂ、車体側部用洗浄媒体噴射部８１Ａ、８１Ｂ、前輪架台側洗浄媒体供給管路６１に通水される。
【００７４】
また、前記回転連動機構部３１の動作で、前記車輌Ｃの後輪側のその他の各タイヤ、前輪側の各タイヤも５〜１０秒程度空回転する。
【００７５】
これにより、前記後輪架台側洗浄媒体供給管路５１に設けた各ノズル１０から車輌Ｃの後輪の回転している各タイヤの底部に向けて水が噴射されこれらのタイヤの底部に付着している泥土が洗い落とされる。
【００７６】
また、前記車体底部用洗浄媒体噴射部８Ａの各ノズル１０から前記車輌Ｃの車体底部に向けて水が噴射され、この車体底部に付着している泥土が洗い落とされる。
【００７７】
更に、前記車体側部用洗浄媒体噴射部８１Ａの後輪架台４側の２本の垂直配管路８２ａに配置した上下２段配置の各ノズル１０からは車輌Ｃの左側の車体側部及び左側の後輪のタイヤの側部に向けて水が噴射され、これら各部に付着している泥土が洗い落とされる。
【００７８】
同様に、前記車体側部用洗浄媒体噴射部８１Ｂの後輪架台４側の２本の垂直配管路８２ａに配置した上下２段配置の各ノズル１０からは車輌Ｃの右側の車体側部及び右側の後輪のタイヤの側部に向けて水が噴射され、これら各部に付着している泥土が洗い落とされる。
【００７９】
これらの場合の車輌Ｃの各部に対する水の噴射状態を図８に示す。
【００８０】
一方、車輌Ｃの前輪側においても、前輪架台側洗浄媒体供給管路６１に設けた各ノズル１０から車輌Ｃの前輪の回転している各タイヤの底部に向けて水が噴射されこれらのタイヤの底部に付着している泥土が洗い落とされる。
【００８１】
また、前記車体底部用洗浄媒体噴射部８Ｂの各ノズル１０から前記車輌Ｃの前輪側の車体底部に向けて水が噴射され、この車体底部に付着している泥土が洗い落とされる。
【００８２】
更に、前記車体側部用洗浄媒体噴射部８１Ａの前輪架台６側の１本の垂直配管路８２ａに配置した上下２段配置の各ノズル１０からは車輌Ｃの前輪側左側の車体側部及び左側の前輪のタイヤの側部に向けて水が噴射され、これら各部に付着している泥土が洗い落とされる。
【００８３】
同様に、前記車体側部用洗浄媒体噴射部８１Ｂの前輪架台６側の１本の垂直配管路８２ａに配置した上下２段配置の各ノズル１０からは車輌Ｃの右側の車体側部及び右側の後輪のタイヤの側部に向けて水が噴射され、これら各部に付着している泥土が洗い落とされる。
【００８４】
次に、５〜１０秒程度経過しタイヤが完全に停止すると、連動してポンプ４２も停止する。
【００８５】
次に、車輌Ｃの運転者は、図１０（ｃ）に示すように、ギヤをバックに入れ車輌Ｃを５０ｃｍ程度後退させる。
【００８６】
その後、図１０（ｄ）に示すように、ギヤを例えば１速等に入れて架台本体２上をゆっくりと進行し、出口側スロープ７から先方に走行して一連の動作が終了となる。
【００８７】
以上説明した本実施例の車輌泥落洗浄装置１によれば、運転者は車輌Ｃを架台本体２上に進行させ、５〜１０秒程度空運転するだけの簡略な運転操作を行うだけで、この車輌Ｃのエンジン動力を利用して、例えば工事現場に出入りするダンプカー等の車輌Ｃの前後各タイヤの底部（外周）、側部、更に、車体底部、車体側部に付着した泥土を確実、かつ、短時間で一挙に除去することができ、工事現場周辺の道路の汚染や環境悪化を未然に防止することが可能となる。
【００８８】
なお、既述した車体底部用洗浄媒体噴射部８Ａ、８Ｂの配置や仕様、車体側部用洗浄媒体噴射部８１Ａ、８１Ｂの垂直配管路８３の設置本数等は上述した実施例の構成に限定されるものではなく、対象となる車輌Ｃのサイズに応じて種々の変形実施が可能である。
【産業上の利用可能性】
【００８９】
本発明は、ダンプカー及びダンプカーに類した輌用の車輌泥落洗浄装置として活用可能である。
【符号の説明】
【００９０】
１    車輌泥落洗浄装置
２    架台本体
３    入口側スロープ
４    後輪架台
５    中央スロープ
６    前輪架台
７    出口側スロープ
８Ａ  車体底部用洗浄媒体噴射部
８Ｂ  車体底部用洗浄媒体噴射部
９    洗浄媒体供給手段
１０    ノズル
１１    後輪駆動ローラー
１２    軸受ユニット
１３    長軸
１４    チェーンカップリング
１５    クラッチブレーキ
２１    前輪駆動ローラー
２２    軸受ユニット
２３    長軸
２４    チェーンカップリング
３１    回転連動機構部
３２    原動プーリー
３３    スプロケット
３４    ベルト
３５ａ  第１チェーン
３５ｂ  第２チェーン
３５ｃ  第３チェーン
３５ｄ  第４チェーン
３５ｅ  第５チェーン
３６    ガードレール
３７    本体
３８    フロート
３９    接続栓
４１    タンク
４２    ポンプ
４４    従動プーリー
５１    後輪架台側洗浄媒体供給管路
５２    バルブ
５３    入口配管材
５４    ガイド配管材
５５    ノズル用配管材
５６    ポンプ台
５７    ストレーナー
５８    エアー抜き弁
６１    前輪架台側洗浄媒体供給管路
６２    ガイド配管材
６３    ノズル用配管材
７１    連結洗浄媒体供給管路
７２    連結配管材
７３    分配管路ユニット
７４    分配配管路
７５    引き出し用配管材
７６    底部ノズル用配管材
７７    底部ノズル用配管材
８１Ａ  車体側部用洗浄媒体噴射部
８１Ｂ  車体側部用洗浄媒体噴射部
８２ａ  左側方配管路
８２ｂ  右側方配管路
８３    垂直配管路
Ｃ    車輌
【図１】
0006629104.tif 000002
【図２】
0006629104.tif 000003
【図３】
0006629104.tif 000004
【図４】
0006629104.tif 000005
【図５】
0006629104.tif 000006
【図６】
0006629104.tif 000007
【図７】
0006629104.tif 000008
【図８】
0006629104.tif 000009
【図９】
0006629104.tif 000010